(57)【要約】【課題】タッチパッドのノイズ耐性を向上させた冷蔵庫を提供する。【解決手段】相互容量方式の静電センサのタッチパッドにおいて、送信パッドと受信パッドの対向する互いの境界部が並行よりも角度を有するように配置する。【選択図】図３
2015135642.tif 000002
【特許請求の範囲】
【請求項１】
相互容量方式の静電センサのタッチパッドにおいて、送信パッドと受信パッドの対向する互いの境界部が並行よりも角度を有するように配置したことを特徴とする冷蔵庫。
【請求項２】
相互容量方式の静電センサのタッチパッドにおいて、送信パッドと受信パッドの対向する互いの境界部が、前記タッチパッド中央付近から外側に向かって広がるように角度を有して配置したことを特徴とする冷蔵庫。
【発明の詳細な説明】
【技術分野】
【０００１】
本発明は、冷蔵庫に関する。
【背景技術】
【０００２】
特許文献１に記載のセンサ基板では、センサ基板内で、相対的に感度の悪い部分の感度を良くする為に、検出電極(タッチパッド)の面積を大きくしたり、検出電極（タッチパッド）の外周の長さを長くしたり、検出電極の密度を大きくしている。
【先行技術文献】
【特許文献】
【０００３】
【特許文献１】特開２０１３−０２０５４２号公報
【発明の概要】
【発明が解決しようとする課題】
【０００４】
しかし、特許文献１では、タッチパッドに対して水平方向（Ｘ−Ｙ方向）の感度対策は出来ても、タッチパッドに垂直な方向（Ｚ方向）に対しては検出感度を向上することが出来ない。
【０００５】
また、冷蔵庫に搭載されるタッチスィッチ式の操作パネルは、デザインや断熱性能確保のために、設置スペースが制約され、タッチパッドの面積も制約されてしまう。基板上にガラスや樹脂部品などの厚みのある意匠部品があると、タッチパッドと指や手などの接触面の距離が遠くなり、タッチ感度の低下を招く。
【０００６】
ここで、相互容量方式の静電センサでは送信用と受信用の２種類のパッドを対向して配置する必要が有り、対向する境界線が反応エリアとなるため、自己容量方式の静電センサに対してタッチパッドの設置面積をより広く確保する必要がある。
【０００７】
また、タッチパッドと接触面との距離が遠くなる場合、送信パッドから受信パッドへ向かう電界の範囲を広くするために、送信パッドと受信パッドの距離を遠ざける必要が有り、パッドの設置面積が広くなってしまう問題があった。
【０００８】
そこで本発明は、タッチパッドのノイズ耐性を向上させた冷蔵庫を提供する。
【課題を解決するための手段】
【０００９】
上述した課題を解決するために、本発明の冷蔵庫は一例として、相互容量方式の静電センサのタッチパッドにおいて、送信パッドと受信パッドの対向する互いの境界部が並行よりも角度を有するように配置する。
【発明の効果】
【００１０】
本発明によれば、タッチパッドのノイズ耐性を向上させた冷蔵庫を提供することができる。
【図面の簡単な説明】
【００１１】
【図１】本発明の実施形態に係る冷蔵庫の（ａ）正面図、（ｂ）側断面図
【図２】本発明の実施形態に係る操作表示部内の操作基板
【図３】本発明の実施形態に係る送信パッドと受信パッドの境界線が平行ではなく外側に広がる角度を持ったタッチパッドの模式図
【図４】従来技術の送信パッドと受信パッドの境界線が平行なタッチパッドの模式図
【図５】本発明の実施形態に係る送信パッドと受信パッドの境界線が平行ではなく外側に広がる角度を持ったタッチパッド（境界線が四角形の対角線）
【図６】従来技術の送信パッドと受信パッドの境界線が平行なタッチパッド
【図７】送信パッドと受信パッドの距離によるタッチパッド垂直方向（Ｚ方向）の電界の範囲の違いの説明図
【発明を実施するための形態】
【００１２】
以下、本発明を実施するための形態（本実施形態）を説明する。ただし、本実施形態は以下の内容に何ら制限されるものではなく、本発明の要旨を逸脱しない範囲内で任意に変更して実施可能である。
【００１３】
図１は、本発明の実施形態に係る冷蔵庫１００の（ａ）正面図、（ｂ）側断面図である。図１に示す本実施形態の冷蔵庫１００は、比較的大容量の冷蔵庫である。冷蔵庫１００は、冷蔵室左扉２２ａと、冷蔵室右扉２２ｂと、製氷室扉２３ａと、上段冷凍室扉２４ａと、下段冷凍室扉２５ａと、野菜室扉２６ａとを備えている。即ち、冷蔵庫本体１０１の正面側（紙面手前側）には、これらが備えられている。
【００１４】
冷蔵室左扉２２ａ及び冷蔵室右扉２２ｂは、冷蔵庫１００の端部に備えられている左ヒンジ３ａ及び右ヒンジ３ｂにより、それぞれ独立して回動可能に固定されている。これにより、冷蔵室左扉２２ａ及び冷蔵室右扉２２ｂは観音開き（フレンチドア）可能になっている。冷蔵庫１００の内部には冷蔵室２２が形成され、冷蔵室左扉２２ａ及び冷蔵室右扉２２ｂが開かれることで、冷蔵室２２に対して食材等を出し入れ可能になっている。また、冷蔵室左扉２２ａの正面側には、冷蔵庫１００についての各種情報（庫内温度、運転モード等）が表示されるとともにスィッチが接触されることで操作可能な操作表示部５０が設けられている。
【００１５】
製氷室扉２３ａは、前記の冷蔵室左扉２２ａ及び冷蔵室右扉２２ｂと同様に、正面側に回動可能に固定されている。冷蔵庫１００の内部には製氷室（図示しない）が形成され、製氷室扉２３ａが正面側に開かれることで、製氷室内の氷等を外部に取り出し可能になっている。
【００１６】
上段冷凍室扉２４ａは、前記の冷蔵室左扉２２ａ及び冷蔵室右扉２２ｂと同様に、正面側に回動可能に固定されている。冷蔵庫１００の内部には上段冷凍室２４（図２参照、図１では図示しない）が形成され、上段冷凍室扉２４ａが正面側に開かれることで、上段冷凍室２４に対して食材等を出し入れ可能になっている。
【００１７】
下段冷凍室扉２５ａは、前記の冷蔵室扉左２２ａ及び冷蔵室扉右２２ｂとは異なり、スライド式になっている。これにより、下段冷凍室扉２５ａは、正面側に引き出し可能になっている。冷蔵庫１００の内部には下段冷凍室２５が形成され、下段冷凍室扉２５ａが正面側に引き出されることで、下段冷凍室２５に対して食材等を出し入れ可能になっている。
【００１８】
野菜室扉２６ａは、前記の下段冷凍室扉２５ａと同様に、スライド式になっている。これにより、野菜室扉２６ａは、正面側に引き出し可能になっている。冷蔵庫１００の内部には野菜室２６が形成され、野菜室扉２６ａが正面側に引き出されることで、野菜室２６に対して野菜等を出し入れ可能になっている。
【００１９】
冷蔵室左扉２２ａ、冷蔵室右扉２２ｂ、製氷室扉２３ａ、上段冷凍室扉２４ａ、下段冷凍室扉２５ａ及び野菜室扉２６ａは、それぞれ、閉じられているときにはパッキン１１に密着し、各室内が外部に対して気密になるようになっている。また、各扉の開閉は、図示しない開閉検知手段により検知されるようになっている。これにより、使用者が意図せず各扉を開放したまま放置することがないようになっている。
【００２０】
冷蔵庫１００内には、前記した冷蔵室２２、製氷室２３、上段冷凍室２４、下段冷凍室２５及び野菜室２６が備えられている。これらは、仕切り１２，１３，１４により区画されている。
【００２１】
また、冷蔵庫１００内には、冷蔵庫１００内の各室を冷却する冷凍サイクルを構成する圧縮機３０及び凝縮器（図示しない）、並びに、冷凍サイクルからの冷気を各室へ送る送風機２７、蒸発器２８及び、冷気の供給先を制御するダンパ（図示しない）が備えられている。冷凍サイクルからの冷気は、通風路１８を通って各室に供給され、再び、下段冷凍室２５の背面側の蒸発器２８近傍に戻されるようになっている。また、冷蔵庫１００においては、外箱２１と内箱２０との間に断熱材を充填して形成された断熱箱体１９により、冷却性能が維持されている。
【００２２】
図２は、本実施形態の冷蔵庫１００における操作表示部５０内部の操作基板５１の図である。操作基板は表示用ＬＥＤ５２ａが実装された表示部５２と、タッチパッド５４が設置された操作部５３とを含む構成である。操作基板５１はタッチパッド５４が冷蔵室扉右２２ｂ表面の強化ガラス（図示しない）を介して接触されることで、タッチ検知用ＬＳＩ５５がこの接触を検知し、表示部５２の表示用ＬＥＤ５２ａの点灯箇所を切り替えることにより、庫内温度や運転モードの切り替えを行う。
【００２３】
図３、図５は本実施形態におけるタッチパッド５４の拡大図である。受信パッド５４ｂはダイヤ型を組合わせた形状であり、送信パッド５４ａは受信パッド５４ｂに組み合わさるように上下に配置されている。
【００２４】
図４、図７における従来技術のタッチパッド５６は、送信パッド５６ａと受信パッド５６ｂとの対向する境界線が平行（角度β＝０°）なのに対し、本実施例におけるタッチパッド５４は、送信パッド５４ａと受信パッド５４ｂの対向する境界線が平行ではなく、角度α＞０°となっている。
送信パッドと受信パッドの境界線に、外側に広がる角度を付けることで、パッドの設置面積が同じでも送信パッドと受信パッドの距離を離し、タッチ感度を向上させることが出来る。
【００２５】
また、タッチパッドの中央付近よりも、外周付近の送受信パッド間の距離を広げることで、タッチ感度が比較的良くないパッド外周付近と感度の良い中央付近の感度のバランスを調整することが出来る。
【００２６】
図７で説明すると、送信パッドと受信パッドの距離が近い場合（距離ａ）は遠い場合(距離ｂ)に対して(ａ＜ｂ)、タッチパッドに垂直方向（Ｚ方向）の電界（電気力線）の範囲が高さＬ分だけ狭くなってしまう。
【００２７】
従来は、相互容量方式の静電センサのタッチパッドとして、図４のような送信パッド５４ａと受信パッド５４ｂを境界線が平行になる様にダイヤ型に組み合わせたものや、図６の様に四角形の対角線を境界線として送信パッド５８ａと受信パッド５８ｂを上下に組み合わせた形状のものが知られている。(共に送信パッドと受信パッドの境界線の角度β＝０°)
これに対して、本実施形態では、送信パッドと受信パッドの境界線を平行ではなく、図３や図５の様に、受信パッドの谷となる部分の角度を、組み合わさる送信パッドの山の角度よりも大きくすることで、境界線を外側に広がる角度を持たせ（α＞０°）、タッチパッドの設置面積を広げることなく、感度を向上させている。受信パッドの谷の部分の角度を大きくすることで、相対的に送信パッドの面積よりも受信パッドの面積を小さくなり、受信パッドが外来の電波ノイズなどを拾い難くなるため、ノイズ耐性を向上させることも出来る。
【００２８】
以上より、本発明によれば、相互容量方式の静電センサのタッチパッドにおいて、送信パッドと受信パッドの対向する互いの境界部が並行よりも角度を有するように配置する。
【００２９】
また、相互容量方式の静電センサのタッチパッドにおいて、送信パッドと受信パッドの対向する互いの境界部が、前記タッチパッド中央付近から外側に向かって広がるように角度を有して配置する。
【００３０】
これにより、冷蔵庫自身のノイズや外部からのノイズの耐性を向上させることができる。
【符号の説明】
【００３１】
１００  冷蔵庫、１０１  冷蔵庫本体、３ａ  左ヒンジ、３ｂ  右ヒンジ、２２ａ  冷蔵室左扉、２２ｂ  冷蔵室右扉、２２  冷蔵室、５０  操作表示部、５１  操作基板、５２ａ  表示用ＬＥＤ、５２  表示部、５３  操作部、５４ａ  送信パッド、５４ｂ  受信パッド、５４  タッチパッド、５５  タッチ検知用ＬＳＩ、５７ａ  送信パッド、５７ｂ  受信パッド
【図１】
2015135642.tif 000003
【図２】
2015135642.tif 000004
【図３】
2015135642.tif 000005
【図４】
2015135642.tif 000006
【図５】
2015135642.tif 000007
【図６】
2015135642.tif 000008
【図７】
2015135642.tif 000009